(57)【要約】【課題】手間と時間を掛けずに簡便に新たな地点情報を登録することができる地点情報取得システムを提供すること。【解決手段】設置された場所の所在地を表す所在地情報を含む設置点情報が記録された記録媒体１１０と、設置点情報を記録媒体１１０から読み取る情報読取端末１２０と、現在位置を検出し、現在位置から情報読取端末１２０によって読み取られた設置点情報に含まれる所在地情報によって表される場所までの経路探索を行うナビゲーション装置１３０とによって構成される。【選択図】  図１
2004177210.tif 000002
【特許請求の範囲】
【請求項１】
設置された場所の所在地を表す所在地情報を含む設置点情報が記録された記録媒体と、前記設置点情報を前記記録媒体から読み取る情報読取端末と、前記情報読取端末によって読み取られた前記設置点情報に基づいて経路探索を行うナビゲーション装置とを備えたことを特徴とする地点情報取得システム。
【請求項２】
設置された場所の所在地を表す所在地情報を含む設置点情報が記録された記録媒体と、前記設置点情報を前記記録媒体から読み取るとともに読み取られた前記設置点情報に基づいて経路探索を行うナビゲーション装置とを備えたことを特徴とする地点情報取得システム。
【請求項３】
請求項１または請求項２に記載の地点情報取得システムに用いられる記録媒体であって、設置された場所の所在地を表す所在地情報を含む設置点情報がバーコードに変換されて記録されたことを特徴とする記録媒体。
【請求項４】
請求項１または請求項２に記載の地点情報取得システムに用いられる記録媒体であって、設置された場所の所在地を表す所在地情報を含む設置点情報を格納する設置点情報格納手段と、前記設置点情報を無線送信する情報送信手段とを有したことを特徴とする記録媒体。
【請求項５】
請求項１に記載の地点情報取得システムに用いられる情報読取端末であって、設置された場所の所在地を表す所在地情報を含む設置点情報が記録された記録媒体から前記設置点情報を読み取る情報読取手段と、前記設置点情報に基づいて経路探索を行うナビゲーション装置に前記設置点情報を出力する情報出力手段とを有したことを特徴とする情報読取端末。
【請求項６】
前記情報出力手段が、無線送信によって前記設置点情報を前記ナビゲーション装置に出力することを特徴とする請求項５に記載の情報読取端末。
【請求項７】
前記情報出力手段が、前記情報読取手段によって読み取られた前記設置点情報を着脱可能な記憶媒体に書き込み、前記設置点情報が書込まれた前記記憶媒体が前記ナビゲーション装置に接続されることによって、前記設置点情報を前記ナビゲーション装置に出力すること請求項５に記載の情報読取端末。
【請求項８】
請求項１に記載の地点情報取得システムに用いられるナビゲーション装置であって、設置された場所の所在地を表す所在地情報を含む設置点情報が記録された記録媒体から前記設置点情報を読み取る情報読取端末を介して前記設置点情報を取得する情報取得手段と、現在位置を検出する現在位置検出手段と、前記情報取得手段によって取得された前記設置点情報と前記現在位置検出手段によって検出された現在位置とに基づいて前記現在位置から前記所在地情報によって表される場所までの経路探索を行う経路探索手段とを有したことを特徴とするナビゲーション装置。
【請求項９】
請求項２に記載の地点情報取得システムに用いられるナビゲーション装置であって、設置された場所の所在地を表す所在地情報を含む設置点情報が記録された記録媒体から前記設置点情報を読み取る情報読取手段と、現在位置を検出する現在位置検出手段と、前記情報取得手段によって読み取られた前記設置点情報と前記現在位置検出手段によって検出された現在位置とに基づいて前記現在位置から前記所在地情報によって表される場所までの経路探索を行う経路探索手段とを有したことを特徴とするナビゲーション装置。
【請求項１０】
音声通信を行う音声通信手段を有し、前記設置点情報が、前記所在地情報によって表される場所に設置された通話端末の識別情報を表す情報を含み、前記音声通信手段が、前記通話端末と前記識別情報に基づいて音声通信を行うことを特徴とする請求項８または請求項９に記載のナビゲーション装置。
【請求項１１】
設置された場所の所在地を表す所在地情報を含む設置点情報が記録された記録媒体から前記設置点情報を読み取る情報読取ステップと、前記情報読取ステップによって読み取られた前記設置点情報に基づいて経路探索を行う経路探索ステップとを実行することを特徴とする地点情報取得システムの制御方法。
【発明の詳細な説明】
【０００１】
【発明の属する技術分野】
本発明は、地点情報を登録して、登録された地点情報に基づいて経路探索を行う地点情報取得システムに関するものである。
【０００２】
【従来の技術】
従来、この種の経路探索装置として、例えば特許文献１に開示されたものが知られている。
【０００３】
図４は、従来の経路探索装置４００の構成を示すブロック図である。
従来の経路探索装置４００は、ユーザに少なくとも住所情報を文字情報として入力させる情報入力手段４１０と、情報入力手段４１０に入力された住所情報を格納する情報格納手段４２０と、現在位置を測定する位置測定手段４３０と、情報格納手段４２０に格納された住所情報と位置測定手段４３０によって測定された現在位置とに基づいて現在位置から住所情報によって表わされる場所までの車両の走行経路を探索する制御手段４４０と、制御手段４４０によって探索された走行経路を表示する表示手段４５０とによって構成されている。
【０００４】
前述のように構成された経路探索装置において、所定の場所の住所情報を含む地点情報が文字情報としてユーザによって手入力されることによって、新たな地点情報が登録され、登録された地点情報に基づいて経路探索が行われるようになっていた。
【０００５】
【特許文献１】
特開平９−５１０３号公報
【０００６】
【発明が解決しようとする課題】
しかしながら、このような従来の経路探索装置では、所定の場所を表す地点情報が経路探索を行う目的地として登録されるためには、所定の場所の住所情報を含む地点情報が文字情報として手入力されなくてはならないため、新たな地点情報の入力に手間と時間とが掛かり、簡便に新たな地点情報を登録することができないという問題があった。
【０００７】
本発明はこのような問題を解決するためになされたもので、手間と時間とを掛けずに簡便に新たな地点情報を登録することができる地点情報取得システムを提供するものである。
【０００８】
【課題を解決するための手段】
本発明の地点情報取得システムは、設置された場所の所在地を表す所在地情報を含む設置点情報が記録された記録媒体と、前記設置点情報を前記記録媒体から読み取る情報読取端末と、前記情報読取端末によって読み取られた前記設置点情報に基づいて経路探索を行うナビゲーション装置とを備えた構成を有している。
【０００９】
この構成により、所定の場所に設置された記録媒体に記録された設置点情報が情報読取端末によって読み取られ、読み取られた設置点情報がナビゲーション装置に出力されるため、記録媒体に情報読取端末を用いて記録媒体から情報を読み取るという簡便な操作だけで、手間と時間を掛けずに簡便に新たな地点情報を登録することができ、さらに、登録された設置点情報に基づいた経路探索を行うことができる。
【００１０】
また、本発明の地点情報取得システムは、設置された場所の所在地を表す所在地情報を含む設置点情報が記録された記録媒体と、前記設置点情報を前記記録媒体から読み取るとともに読み取られた前記設置点情報に基づいて経路探索を行うナビゲーション装置とを備えた構成を有している。
【００１１】
この構成により、専用の情報読取端末を備えることなくナビゲーション装置だけで記録媒体に記録された設置点情報を読み取ることができ、所定の場所に設置された記録媒体に記録された設置点情報がナビゲーション装置に取得され、取得された設置点情報に含まれる様々な情報がナビゲーション装置に登録されるため、手間と時間を掛けずに簡便に新たな地点情報を登録することができ、さらに、登録された設置点情報に基づいた経路探索を行うことができる。
【００１２】
また、本発明の記録媒体は、請求項１または請求項２に記載の地点情報取得システムに用いられる記録媒体であって、設置された場所の所在地を表す所在地情報を含む設置点情報がバーコードに変換されて記録された構成を有している。
【００１３】
この構成により、所定の場所に設置された記録媒体に設置点情報がバーコードに変換されて記録されているため、周知のバーコード読取可能な情報読取端末を記録媒体に近づけるだけで簡便に設置点情報を取得することができる記録媒体を提供することができる。
【００１４】
また、本発明の記録媒体は、請求項１または請求項２に記載の地点情報取得システムに用いられる記録媒体であって、設置された場所の所在地を表す所在地情報を含む設置点情報を格納する設置点情報格納手段と、前記設置点情報を無線送信する情報送信手段とを有した構成を有している。
【００１５】
この構成により、所定の場所に設置された記録媒体が有する設置点情報格納手段に格納された設置点情報が情報送信手段によって無線送信されるため、無線受信可能な情報読取端末を記録媒体に近づけるだけで簡便に設置点情報を取得することができることができる記録媒体を提供することができる。
【００１６】
また、本発明の情報読取端末は、請求項１に記載の地点情報取得システムに用いられる情報読取端末であって、設置された場所の所在地を表す所在地情報を含む設置点情報が記録された記録媒体から前記設置点情報を読み取る情報読取手段と、前記設置点情報に基づいて経路探索を行うナビゲーション装置に前記設置点情報を出力する情報出力手段とを有した構成を有している。
【００１７】
この構成により、所定の場所に設置された記録媒体に記録された設置点情報が情報読取端末によって読み取られ、読み取られた設置点情報がナビゲーション装置に出力されるため、記録媒体に情報読取端末を用いて記録媒体から情報を読み取るという簡便な操作だけで、手間と時間を掛けずに簡便に新たな地点情報を登録することができる。
【００１８】
また、本発明の情報読取端末は、前記情報出力手段が、無線送信によって前記設置点情報を前記ナビゲーション装置に出力するようにした構成を有している。
【００１９】
この構成により、所定の場所に設置された記録媒体に記録された設置点情報が情報読取端末によって読み取られ、読み取られた設置点情報がナビゲーション装置に無線送信によって出力されるため、記録媒体に情報読取端末を用いて記録媒体から情報を読み取るという簡便な操作だけで、手間と時間を掛けずに簡便に新たな地点情報を登録することができる。
【００２０】
また、本発明の情報読取端末は、前記情報出力手段が、前記情報読取手段によって読み取られた前記設置点情報を着脱可能な記憶媒体に書き込み、前記設置点情報が書込まれた前記記憶媒体が前記ナビゲーション装置に接続されることによって、前記設置点情報を前記ナビゲーション装置に出力するようにした構成を有している。
【００２１】
この構成により、所定の場所に設置された記録媒体に記録された設置点情報が情報読取端末によって読み取られ、読み取られた設置点情報がナビゲーション装置に記憶媒体を介して出力されるため、記録媒体に情報読取端末を用いて記録媒体から情報を読み取るという簡便な操作だけで、手間と時間を掛けずに簡便に新たな地点情報を登録することができる。
【００２２】
また、本発明のナビゲーション装置は、請求項１に記載の地点情報取得システムに用いられるナビゲーション装置であって、設置された場所の所在地を表す所在地情報を含む設置点情報が記録された記録媒体から前記設置点情報を読み取る情報読取端末を介して前記設置点情報を取得する情報取得手段と、現在位置を検出する現在位置検出手段と、前記情報取得手段によって取得された前記設置点情報と前記現在位置検出手段によって検出された現在位置とに基づいて前記現在位置から前記所在地情報によって表される場所までの経路探索を行う経路探索手段とを有した構成を有している。
【００２３】
この構成により、所定の場所に設置された記録媒体に記録された設置点情報が情報読取端末によって読み取られ、読み取られた設置点情報がナビゲーション装置に出力されるため、記録媒体に情報読取端末を用いて記録媒体から情報を読み取るという簡便な操作だけで、手間と時間を掛けずに簡便に新たな地点情報を登録することができ、さらに、登録された設置点情報に基づいた経路探索を行うことができる。
【００２４】
また、本発明のナビゲーション装置は、請求項２に記載の地点情報取得システムに用いられるナビゲーション装置であって、設置された場所の所在地を表す所在地情報を含む設置点情報が記録された記録媒体から前記設置点情報を読み取る情報読取手段と、現在位置を検出する現在位置検出手段と、前記情報取得手段によって読み取られた前記設置点情報と前記現在位置検出手段によって検出された現在位置とに基づいて前記現在位置から前記所在地情報によって表される場所までの経路探索を行う経路探索手段とを有した構成を有している。
【００２５】
この構成により、専用の情報読取端末を備えることなくナビゲーション装置だけで記録媒体に記録された設置点情報を読み取ることができ、所定の場所に設置された記録媒体に記録された設置点情報がナビゲーション装置に取得され、取得された設置点情報に含まれる様々な情報がナビゲーション装置に登録されるため、手間と時間を掛けずに簡便に新たな地点情報を登録することができ、さらに、登録された設置点情報に基づいた経路探索を行うことができる。
【００２６】
また、本発明のナビゲーション装置は、音声通信を行う音声通信手段を有し、前記設置点情報が、前記所在地情報によって表される場所に設置された通話端末の識別情報を表す情報を含み、前記音声通信手段が、前記通話端末と前記識別情報に基づいて音声通信を行うようにした構成を有している。
【００２７】
この構成により、所定の場所に設置された記録媒体に記録された設置点情報が情報読取端末によって読み取られ、読み取られた設置点情報がナビゲーション装置に出力されるため、記録媒体に情報読取端末を用いて記録媒体から情報を読み取るという簡便な操作だけで、手間と時間を掛けずに簡便に新たな地点情報を登録することができ、さらに、登録された設置点情報に基づいた経路探索および設置点情報に基づいた音声通話を行うことができる。
【００２８】
また、本発明の地点情報取得システムの制御方法は、設置された場所の所在地を表す所在地情報を含む設置点情報が記録された記録媒体から前記設置点情報を読み取る情報読取ステップと、前記情報読取ステップによって読み取られた前記設置点情報に基づいて経路探索を行う経路探索ステップとを実行するようにした構成を有している。
【００２９】
この構成により、所定の場所に設置された記録媒体に記録された設置点情報が情報読取端末によって読み取られ、読み取られた設置点情報がナビゲーション装置に出力されるため、記録媒体に情報読取端末を用いて記録媒体から情報を読み取るという簡便な操作だけで、手間と時間を掛けずに簡便に新たな地点情報を登録することができ、さらに、登録された設置点情報に基づいた経路探索を行うことができる。
【００３０】
【発明の実施の形態】
以下、本発明の実施の形態について、図面を参照して説明する。
図１は、本発明の第１の実施の形態の地点情報取得システムの構成を示すブロック図である。
地点情報取得システム１００は、設置された場所の所在地を表す所在地情報を含む設置点情報が記録された記録媒体１１０と、設置点情報を記録媒体１１０から読み取る情報読取端末１２０と、情報読取端末１２０によって読み取られた設置点情報に基づいて経路探索を行うナビゲーション装置１３０とによって構成される。
【００３１】
記録媒体１１０には、記録媒体１１０が設置された場所に関する設置点情報が記録されるようになっている。ここで、設置点情報は、少なくとも記録媒体１１０が設置された場所の所在地を表す所在地情報を含むようになっている。なお、所在地情報は、記録媒体１１０が設置された場所の緯度、経度などでもよいし、住所を表す情報でもよい。
【００３２】
また、設置点情報には、記録媒体１１０が設置された場所に設置された通話端末の代表電話番号を表すなどの識別情報が含まれていてもよい。
また、設置点情報には、例えば記録媒体１１０が設置された場所が店舗、法人またはビル等である場合には、記録媒体１１０が設置された場所の店舗名、法人名またはビル名などの名称または属性を表す情報が含まれていてもよく、さらには、記録媒体１１０が設置された場所が店舗、法人またはビル等の写真またはロゴ等の画像情報が含まれていてもよい。
【００３３】
さらに、設置点情報には、記録媒体１１０が設置された場所の最寄の公共交通機関の駅、またはバス停などを表す情報が含まれていてもよい。
また、ナビゲーション装置１３０がインターネットと接続できるようになっている場合には、設置点情報には、設置点を紹介するホームページのアドレスを表わす情報が含まれていてもよい。
【００３４】
なお、記録媒体１１０は、設置点情報がバーコードに変換されて記録されるようになっていてもよい。
また、記録媒体１１０には、設置点情報を格納する図示しない設置点情報格納手段と、設置点情報格納手段に格納された設置点情報を情報読取端末１２０に無線送信する図示しない情報送信手段とを有するＩＣ（Ｉｎｔｅｇｒａｔｅｄ  Ｃｉｒｃｕｉｔ）チップが設置されるようになっていてもよい。
【００３５】
なお、上述の情報送信手段は、情報読取端末１２０によって放射される電磁波に応じて給電された後に、設置点情報を情報読取端末１２０に無線送信するようになっていてもよいし、ＲＦＩＤ（Ｒａｄｉｏ  Ｆｒｅｑｕｅｎｃｙ  ＩＤｅｎｔｉｆｉｃａｔｉｏｎ）タグなどの無線タグであってもよい。
また、設置点情報は、暗号化されて記録媒体１１０に記録されているのでもよい。
【００３６】
情報読取端末１２０は、記録媒体１１０に近づけることによって記録媒体１１０に記録された情報を読み取り、読み取られた情報をナビゲーション装置１３０に出力するようになっている。
【００３７】
情報読取端末１２０は、例えば、記録媒体１１０に記録された設置点情報を読み取る情報読取手段１２１と、情報読取手段１２１によって読み取られた設置点情報をナビゲーション装置１３０に出力する情報出力手段１２２とによって構成される。
【００３８】
情報読取手段１２１は、記録媒体１１０に記録された設置点情報を読み取り、読み取られた設置点情報を情報出力手段１２２に出力するようになっている。
なお、情報読取手段１２１は、例えば、設置点情報がバーコードで記録媒体１１０に記録されている場合には、周知のバーコード読取技術に基づいてバーコードで表された設置点情報を読み取るようになっていてもよい。
【００３９】
また、情報読取手段１２１は、例えば、記録媒体１１０に上述したような設置点情報格納手段と情報送信手段とを有するＩＣチップが設置されるいる場合には、電磁波を放射してＩＣチップを給電し、情報送信手段によって無線送信された設置点情報を受信することによって設置点情報を読み取るようになっていてもよい。
【００４０】
情報出力手段１２２には、情報読取手段１２１によって出力された設置点情報が入力され、情報出力手段１２２は、入力された設置点情報をナビゲーション装置１３０に出力するようになっている。
【００４１】
なお、情報出力手段１２２による前記設置点情報の出力は、電磁波または赤外線などを介した無線送信によって行われるようになっていてもよいし、着脱可能な図示しない記憶媒体を介して行われるようになっていてもよい。情報出力手段１２２による設置点情報の出力が着脱可能な記憶媒体を介して行われる場合には、情報出力手段１２２は、設置点情報を記憶媒体に書き込むようになっており、設置点情報が書込まれた記憶媒体をナビゲーション装置１３０に接続することによって、設置点情報をナビゲーション装置１３０に出力するようになっている。
【００４２】
なお、情報読取端末１２０は、携帯電話またはＰＤＡのような周知の移動体端末に情報読取手段１２１および情報出力手段１２２を備えることによって実施されてもよい。また、情報読取端末１２０が携帯電話またはＰＤＡのような周知の移動体端末である場合には、読み取られた設置点情報を利用することができるようになっていてもよい。
【００４３】
ナビゲーション装置１３０は、情報読取端末１２０によって出力された設置点情報を取得し、取得された設置点情報に基づいた経路探索を行うようになっている。
なお、ナビゲーション装置１３０は、車両に設置されているのでもよいし、ユーザによって携帯されるようになっているのでもよい。
【００４４】
ナビゲーション装置１３０は、例えば、情報読取端末１２０によって出力された設置点情報を取得する情報取得手段１３１と、情報取得手段１３１によって取得された設置点情報を格納する情報格納手段１３３と、情報格納手段１３３によって格納されている設置点情報に含まれる所在地情報によって表される場所を表示する表示手段１３４と、現在位置を検出する現在位置検出手段１３５と、道路地図を表す道路地図情報を予め格納する地図情報格納手段１３６と、情報格納手段１３３によって格納されている設置点情報と現在位置検出手段１３５によって検出された現在位置と道路地図情報とに基づいて現在位置検出手段１３５によって検出された現在位置から所在地情報によって表される場所までの経路探索を行う経路探索手段１３７と、記録媒体１１０が設置された場所に設置された通話端末と音声通信を音声通話手段１３８とによって構成される。
【００４５】
情報取得手段１３１は、情報読取端末１２０によって出力された設置点情報を取得し、取得された設置点情報を情報格納手段１３３に出力するようになっている。
【００４６】
なお、情報取得手段１３１による設置点情報の取得は、情報読取端末１２０による情報の出力が無線送信によって行われている場合には、無線送信された情報が受信されることによって行われ、情報読取端末１２０による情報の出力が上述した記憶媒体を介して行われる場合には、記憶媒体と接続されるインターフェイスを備えて、記憶媒体に書込まれた設置点情報を読み込むことによって行われるようになっている。
【００４７】
情報格納手段１３３は、設置点情報を格納するようになっている。なお、情報格納手段１３３は、複数の設置点情報を格納することができるようになっている。
【００４８】
表示手段１３４は、情報格納手段１３３に格納されている設置点情報に含まれる所在地情報によって表される場所を表示するようになっている。なお、表示手段１３４は、例えば、液晶ディスプレイなどの表示装置によって構成される。
【００４９】
なお、情報格納手段１３３に複数の設置点情報が格納されている場合には、表示手段１３４は、複数の設置点情報を同時に表示するようになっていてもよいし、複数の設置点情報の中から１つの設置点情報をユーザに選択させ、選択された設置点情報に含まれる所在地情報によって表される場所を表示するようになっていてもよい。ここで、所在地情報によって表される場所は、文字情報として表示されてもよいし、地図情報格納手段１３６に格納された道路地図情報によって表される道路地図とともに道路地図上の地点が表示されるのでもよい。
【００５０】
また、表示手段１３４は、所在地情報によって表される場所を表示するだけでなく、上述したような設置点情報に含まれる様々な情報を文字情報として表示するようになっていてもよい。
【００５１】
また、表示手段１３４には、現在位置検出手段１３５によって出力された後述する現在位置情報が入力されるようになっており、表示手段１３４は、入力された現在位置情報によって表される場所を表示するようになっていてもよい。ここで、現在位置情報によって表される場所は、文字情報として表示されてもよいし、地図情報格納手段１３６に格納された道路地図情報によって表される道路地図とともに道路地図上に表示されるのでもよい。
【００５２】
また、表示手段１３４には、経路探索手段１３７によって出力された後述する経路情報が入力されるようになっており、表示手段１３４は、入力された経路情報によって表される進行経路を表示するようになっていてもよい。ここで、経路情報によって表される進行経路は、文字情報として表示されてもよいし、地図情報格納手段１３６に格納された道路地図情報によって表される道路地図とともに表示されるのでもよい。
【００５３】
現在位置検出手段１３５は、ナビゲーション装置１３０の現在位置を検出し、検出された現在位置を表す現在位置情報を生成し、生成された現在位置情報を表示手段１３４および経路探索手段１３７に出力するようになっている。
地図情報格納手段１３６は、道路地図を表す道路地図情報を予め格納するようになっている。
【００５４】
経路探索手段１３７には、現在位置検出手段１３５によって出力された現在位置情報が入力されるようになっており、経路探索手段１３７は、少なくとも地図情報格納手段１３６に格納された道路地図情報と入力された現在位置情報と情報格納手段１３３に格納された設置点情報とに基づいて現在位置から設置点情報に含まれる所在地情報によって表される場所までの経路探索を行い、経路探索結果を表す経路情報を生成し、生成された経路情報を表示手段１３４に出力するようになっている。なお、経路探索手段１３７による経路探索は、道路交通情報に含まれる渋滞情報にも基づいて行われることはいうまでもない。
【００５５】
ここで、情報格納手段１３３に複数の設置点情報が格納されている場合には、経路探索手段１３７は、ユーザに複数の設置点情報の中から１つの設置点情報を選択させ、入力された現在位置情報と選択された設置点情報に基づいて現在位置から選択された設置点情報に含まれる所在地情報によって表される場所までの経路探索を行う、経路探索結果を表す経路情報を生成するようになっている。
【００５６】
なお、経路探索手段１３７は、上述した道路地図情報に含まれるランドマーク情報の中から１つのランドマーク情報をユーザに選択させ、現在位置から選択されたランドマーク情報によって表される場所までの経路探索をすることができるようになっていてもよい。
【００５７】
音声通話手段１３８は、情報格納手段１３３に格納された設置点情報に含まれる上述した識別情報に基づいて、設置点情報に含まれる所在地情報によって表される場所に設置された通話端末と音声通信を行うようになっている。
【００５８】
ここで、情報格納手段１３３に複数の設置点情報が格納されている場合には、音声通話手段１３８は、ユーザに複数の設置点情報の中から１つの設置点情報を選択させ、選択された設置点情報に含まれる識別情報に基づいて、選択された設置点情報に含まれる所在地情報によって表される場所に設置された通話端末と音声通信を行うようになっている。
【００５９】
また、音声通話手段１３８は、音声通話を終了するか否かをユーザに選択させるようになっており、音声通話を終了することがユーザによって選択された場合には、音声通話を終了するようになっている。
【００６０】
なお、上述したランドマーク情報にランドマーク情報によって表される場所に設置された通話端末の識別情報が含まれている場合には、音声通話手段１３８は、経路探索手段１３７に格納された道路地図情報に含まれるランドマーク情報の中から１つのランドマーク情報をユーザに選択させ、選択されたランドマーク情報によって表される場所に設置された通話端末と音声通信を行うようになっていてもよい。
【００６１】
なお、表示手段１３４、経路探索手段１３７および音声通話手段１３８は、複数の情報の中から１つの情報をユーザに選択させる場合に、情報を選択させるグラフィカルユーザインターフェイス（Ｇｒａｐｈｉｃａｌ  Ｕｓｅｒ  Ｉｎｔｅｒｆａｃｅ、ＧＵＩ）を表示手段１３４に表示させ、ＧＵＩを介してユーザに情報を選択させるようになっていてもよい。また、選択された設置点情報に基づいて経路探索を行うか音声通話を行うかの選択をユーザにさせるＧＵＩを表示手段１３４に表示させ、ユーザに選択させるようになっていてもよい。
【００６２】
次に、本発明の実施の形態の地点情報取得システムの動作について説明する。
図２は、本発明の実施の形態の地点情報取得システムにおける情報読取端末１２０によって読み取られた情報がナビゲーション装置１３０によって格納されるまでの動作の流れを示すフローチャートである。
【００６３】
まず、記録媒体１１０に記録された設置点情報が情報読取手段１２１によって読み取られ（Ｓ２０１）、情報読取手段１２１によって読み取られた設置点情報が情報出力手段１２２によってナビゲーション装置１３０に出力される（Ｓ２０２）。
次に、情報出力手段１２２によって出力された設置点情報が情報取得手段１３１によって取得され（Ｓ２０３）、取得された設置点情報が情報格納手段１３３に格納される（Ｓ２０４）。
【００６４】
図３は、本発明の実施の形態の地点情報取得システムにおけるナビゲーション装置１３０の動作の流れを示すフローチャートである。
以下の説明に先立ち、情報格納手段１３３には複数の設置点情報が格納されているものとする。また、情報格納手段１３３に格納された複数の設置点情報の中の１つの設置点情報は、表示手段１３４に表示されるＧＵＩを介してユーザに選択されるようになっているものとする。また、選択された設置点情報に基づいて経路探索を行うか音声通話を行うかの選択は、ＧＵＩを介してユーザに選択させるようになっているものとする。
【００６５】
まず、情報格納手段１３３に格納された複数の設置点情報の中から１つの設置点情報がＧＵＩを介してユーザによって選択され（Ｓ３０１）、経路探索を行うか音声通話を行うかがＧＵＩを介してユーザによって選択される（Ｓ３０２）。
【００６６】
経路探索を行うと選択された場合には、現在位置検出手段１３５によって現在位置が検出され（Ｓ３０３）、現在位置検出手段１３５によって検出された現在位置から選択された設置点情報に含まれる所在地情報によって表される場所までの経路探索が経路探索手段１３７によって行われ（Ｓ３０４）、経路探索手段１３７によって探索された進行経路が表示手段１３４に表示される（Ｓ３０５）。
【００６７】
音声通話を行うと選択された場合には、選択された設置点情報に含まれる識別情報に基づいて音声通話手段１３８によって音声通話が開始され（Ｓ３０６）、ＧＵＩを介して音声通話を終了することがユーザによって選択された場合には（Ｓ３０７）、音声通話が音声通話手段１３８によって終了される（Ｓ３０８）。
【００６８】
以上説明したように、本発明の実施の形態の地点情報取得システムは、所定の場所に設置された記録媒体に記録された設置点情報が情報読取端末によって読み取られ、読み取られた設置点情報がナビゲーション装置に出力され、出力された設置点情報に含まれる様々な情報がナビゲーション装置に格納されるため、記録媒体に情報読取端末を用いて記録媒体から情報を読み取るという簡便な操作だけで、手間と時間を掛けずに簡便に新たな地点情報を登録することができ、さらに、登録された設置点情報に基づいた経路探索、設置点情報に基づいた音声通話など、登録された様々な情報を利用することができる。
【００６９】
なお、記録媒体が網羅的に設置されることによって、本発明の地点情報取得システムの利便性をさらに高めることができる。
また、記録媒体に設置点情報が暗号化されて記録されている場合には、情報読取端末またはナビゲーション装置の何れかが暗号化されている設置点情報を復号化する手段を有するようになっていてもよい。
【００７０】
また、本発明の実施の形態において、情報読取端末とナビゲーション装置はそれぞれ個別の端末としたが、情報読取端末とナビゲーション装置とを一体化して、１つの端末として実施されてもよい。
【００７１】
この場合、ナビゲーション装置は、例えば、記録媒体１１０に記録された設置点情報を読み取る情報読取手段１２１と、情報読取手段１２１によって読み取られた設置点情報を格納する情報格納手段１３３と、情報格納手段１３３によって格納されている設置点情報に含まれる所在地情報によって表される場所を表示する表示手段１３４と、現在位置を検出する現在位置検出手段１３５と、道路地図を表す道路地図情報を予め格納する地図情報格納手段１３６と、情報格納手段１３３によって格納されている設置点情報と現在位置検出手段１３５によって検出された現在位置と道路地図情報とに基づいて現在位置検出手段１３５によって検出された現在位置から所在地情報によって表される場所までの経路探索を行う経路探索手段１３７と、記録媒体１１０が設置された場所に設置された通話端末と音声通信を音声通話手段１３８とによって構成される。
【００７２】
このように、情報読取端末とナビゲーション装置を一体化することによって、専用の読取端末を備えることなくナビゲーション装置だけで記録媒体に記録された設置点情報を読み取ることができ、所定の場所に設置された記録媒体に記録された設置点情報がナビゲーション装置に取得され、取得された設置点情報に含まれる様々な情報がナビゲーション装置に登録されるため、手間と時間を掛けずに簡便に新たな地点情報を登録することができ、さらに、登録された設置点情報に基づいた経路探索、設置点情報に基づいた音声通話など、登録された様々な情報を利用することができる。
【００７３】
【発明の効果】
以上説明したように、本発明は、手間と時間を掛けずに簡便に新たな地点情報を登録することができる地点情報取得システムを提供することができるものである。
【図面の簡単な説明】
【図１】本発明の実施の形態の地点情報取得システムの構成を示すブロック図
【図２】本発明の実施の形態の地点情報取得システムにおける情報読取端末によって読み取られた情報がナビゲーション装置によって格納されるまでの動作の流れを示すフローチャート
【図３】本発明の実施の形態の地点情報取得システムにおけるナビゲーション装置の動作の流れを示すフローチャート
【図４】従来の経路探索装置の構成を示すブロック図
【符号の説明】
１００  地点情報取得システム
１１０  記録媒体
１２０  情報読取端末
１２１  情報読取手段
１２２  情報出力手段
１３０  ナビゲーション装置
１３１  情報取得手段
１３３、４２０  情報格納手段
１３４、４５０  表示手段
１３５  現在位置検出手段
１３６  地図情報格納手段
１３７  経路探索手段
１３８  音声通話手段
４００  経路探索装置
４１０  情報入力手段
４３０  位置測定手段
４４０  制御手段
【図１】
2004177210.tif 000003
【図２】
2004177210.tif 000004
【図３】
2004177210.tif 000005
【図４】
2004177210.tif 000006